(57)【要約】【課題】  観察する被写体が暗い場合、表示輝度を十分に低下させることにより、視認性の高い表示が可能な表示装置及びこれを備える光学機器を提供する。【解決手段】  接眼レンズ２４を介して焦点板２１上（観察面）に形成された不図示の物体（被写体）像を観察する観察光学系２０の、焦点板２１の近傍に配設された表示装置３０であって、所定の情報を発光表示する表示部材３１と、表示部材３１の発光側に配設された減光部材３２と、焦点板２１の明るさを検出する照度センサ３４と、照度センサ３４により検出された焦点板２１の明るさに応じて表示部材３１の発光量を制御する発光制御部３５とを備え、表示部材３１からの発光表示光は発光制御部３５により発光量が制御されるとともに減光部材３２により減光されて接眼レンズ２４へ導かれ、撮影者が接眼レンズ２４を介して物体（被写体）の像と共に表示部材３１による情報表示を観察できるように構成されている。【選択図】  図２
2015040962.tif 000002
【特許請求の範囲】
【請求項１】
接眼レンズを介して観察面に形成された被写体像を観察する観察光学系の、前記観察面の近傍に配設された表示装置であって、
所定の情報を発光表示する表示部材と、
前記表示部材の発光側に配設された減光部材と、
前記観察面の明るさを検出する照度センサと、
前記照度センサにより検出された前記観察面の明るさに応じて、前記表示部材の発光量を制御する制御部とを備え、
前記表示部材からの発光表示光は、前記制御部により発光量が制御されるとともに、前記減光部材により減光されて、前記接眼レンズへ導かれ、
前記接眼レンズを介して前記被写体像と共に、前記表示部材による情報表示を観察できるように構成したことを特徴とする表示装置。
【請求項２】
前記観察面の明るさが所定の閾値未満であった場合、前記制御部により前記表示部材の発光量を減らし、前記減光部材の減光作用と合わせて、前記表示部材の表示輝度を下げるように構成されていることを特徴とする請求項１に記載の表示装置。
【請求項３】
前記観察面の明るさが所定の閾値以上であった場合、前記制御部により前記表示部材の発光量を増やし、前記表示部材の表示輝度を上げるように構成されていることを特徴とする請求項１又は２に記載の表示装置。
【請求項４】
前記表示部材は、有機エレクトロルミネッセンス素子からなることを特徴とする請求項１〜３のいずれか一項に記載の表示装置。
【請求項５】
前記減光部材は、ＮＤフィルタであることを特徴とする請求項１〜４のいずれか一項に記載の表示装置。
【請求項６】
前記減光部材は、前記表示部材からの発光表示光のうちの所定の波長域の光だけを透過または遮光する波長選択フィルタであることを特徴とする請求項１〜４のいずれか一項に記載の表示装置。
【請求項７】
前記減光部材は、前記表示部材からの発光表示光のうちの所定の波長域の光だけを吸収する吸収フィルタであることを特徴とする請求項１〜４のいずれか一項に記載の表示装置。
【請求項８】
以下の条件式を満足することを特徴とする請求項１〜７のいずれか一項に記載の表示装置。
Ｔa≦０．５
但し、
Ｔa：前記表示部材から発光される可視域の光に対する前記減光部材の透過率。
【請求項９】
以下の条件式を満足することを特徴とする請求項１〜７のいずれか一項に記載の表示装置。
Ｔλ≦０．５
但し、
Ｔλ：前記表示部材からの発光表示光のピーク波長をλとしたとき、前記ピーク波長λの光に対する前記減光部材の透過率。
【請求項１０】
前記表示部材からの発光表示光を前記接眼レンズへ導く導光部材を有し、
前記減光部材は、前記表示部材と前記導光部材との間の光路中に独立して配置されていることを特徴とする請求項１〜９のいずれか一項に記載の表示装置。
【請求項１１】
前記表示部材からの発光表示光を前記接眼レンズへ導く導光部材を有し、
前記減光部材は、前記導光部材と前記接眼レンズとの間の光路中に独立して配置されていることを特徴とする請求項１〜９のいずれか一項に記載の表示装置。
【請求項１２】
前記表示部材からの発光表示光を前記接眼レンズへ導く導光部材を有し、
前記減光部材は、前記導光部材の前記表示部材側の表面または前記接眼レンズ側の表面のどちらかに密着して設けられていることを特徴とする請求項１〜９のいずれか一項に記載の表示装置。
【請求項１３】
前記減光部材は、前記表示部材の発光側の表面に密着して設けられていることを特徴とする請求項１〜９のいずれか一項に記載の表示装置。
【請求項１４】
前記減光部材は、プリズム状部材であり、前記表示部材からの発光表示光を前記接眼レンズへ導く導光機能を兼ね備えていることを特徴とする請求項１〜９のいずれか一項に記載の表示装置。
【請求項１５】
前記プリズム状部材は、着色プリズム、反射プリズム、偏角プリズムのいずれかであることを特徴とする請求項１４に記載の表示装置。
【請求項１６】
前記観察光学系と、請求項１〜１５のいずれか一項に記載の表示装置とを備えて構成されることを特徴とする光学機器。
【発明の詳細な説明】
【技術分野】
【０００１】
本発明は、所定の情報を発光表示する表示装置に関するものである。
【背景技術】
【０００２】
従来、観察面に形成された像を観察する観察光学系の、観察面近傍に所定の情報を発光表示するための表示装置を配設することにより、接眼レンズを介して、被写体像と共に、前記表示装置による情報表示を観察できる技術が開示されている（例えば、特許文献１を参照）。
【先行技術文献】
【特許文献】
【０００３】
【特許文献１】特開２０００−１３７２６８号公報
【発明の概要】
【発明が解決しようとする課題】
【０００４】
上記のような表示装置では、高い発光輝度と広い発光角が得られることから、有機ＥＬ（エレクトロルミネッセンス）等の自発光型の表示素子が用いられている。自発光型の表示素子は、流す電流値を変化させることにより、輝度を調整することが可能である。例えば、明るい被写体を観察する場合、流す電流値を多くして表示素子の発光輝度を上げることにより、コントラストが高く、視認性に優れた表示が可能である。
【０００５】
しかしながら、自発光型の表示素子は、その特性から電流値を限界まで減少させても、ある一定の明るさから暗くすることができない。そのため、暗い被写体を観察する場合、流す電流値を絞っても、表示素子は必要以上の明るさで発光することになり、素子周辺の部材を照明して反射光を生じさせる。この反射光はフレアとなり、表示のコントラストを低下させたり、被写体像の周辺にゴーストを発生させたりするという問題があった。
【０００６】
本発明は、このような問題に鑑みてなされたものであり、観察する被写体が暗い場合、表示輝度を十分に低下させることにより、視認性の高い表示が可能な表示装置及びこれを備える光学機器を提供することを目的とする。
【課題を解決するための手段】
【０００７】
このような目的を達成するため、本発明に係る表示装置は、接眼レンズを介して観察面に形成された被写体像を観察する観察光学系の、前記観察面の近傍に配設された表示装置であって、所定の情報を発光表示する表示部材と、前記表示部材の発光側に配設された減光部材と、前記観察面の明るさを検出する照度センサと、前記照度センサにより検出された前記観察面の明るさに応じて、前記表示部材の発光量を制御する制御部とを備え、前記表示部材からの発光表示光は、前記制御部により発光量が制御されるとともに、前記減光部材により減光されて、前記接眼レンズへ導かれ、前記接眼レンズを介して前記被写体像と共に、前記表示部材による情報表示を観察できるように構成されている。
【０００８】
本発明に係る表示装置は、前記観察面の明るさが所定の閾値未満であった場合、前記制御部により前記表示部材の発光量を減らし、前記減光部材の減光作用と合わせて、前記表示部材の表示輝度を下げるように構成されていることが好ましい。
【０００９】
本発明に係る表示装置は、前記観察面の明るさが所定の閾値以上であった場合、前記制御部により前記表示部材の発光量を増やし、前記表示部材の表示輝度を上げるように構成されていることが好ましい。
【００１０】
本発明に係る表示装置において、前記表示部材は、有機エレクトロルミネッセンス素子からなることが好ましい。
【００１１】
本発明に係る表示装置において、前記減光部材は、ＮＤフィルタであることが好ましい。
【００１２】
本発明に係る表示装置において、前記減光部材は、前記表示部材からの発光表示光のうちの所定の波長域の光だけを透過または遮光する波長選択フィルタであることが好ましい。
【００１３】
本発明に係る表示装置において、前記減光部材は、前記表示部材からの発光表示光のうちの所定の波長域の光だけを吸収する吸収フィルタであることが好ましい。
【００１４】
本発明に係る表示装置は、次の条件式を満足することが好ましい。
【００１５】
Ｔa≦０．５
但し、
Ｔa：前記表示部材から発光される可視域の光に対する前記減光部材の透過率。
【００１６】
本発明に係る表示装置は、次の条件式を満足することが好ましい。
【００１７】
Ｔλ≦０．５
但し、
Ｔλ：前記表示部材からの発光表示光のピーク波長をλとしたとき、前記ピーク波長λの光に対する前記減光部材の透過率。
【００１８】
本発明に係る表示装置は、前記表示部材からの発光表示光を前記接眼レンズへ導く導光部材を有し、前記減光部材は、前記表示部材と前記導光部材との間の光路中に独立して配置されていることが好ましい。
【００１９】
本発明に係る表示装置は、前記表示部材からの発光表示光を前記接眼レンズへ導く導光部材を有し、前記減光部材は、前記導光部材と前記接眼レンズとの間の光路中に独立して配置されていることが好ましい。
【００２０】
本発明に係る表示装置は、前記表示部材からの発光表示光を前記接眼レンズへ導く導光部材を有し、前記減光部材は、前記導光部材の前記表示部材側の表面または前記接眼レンズ側の表面のどちらかに密着して設けられていることが好ましい。
【００２１】
本発明に係る表示装置において、前記減光部材は、前記表示部材の発光側の表面に密着して設けられていることが好ましい。
【００２２】
本発明に係る表示装置において、前記減光部材は、プリズム状部材であり、前記表示部材からの発光表示光を前記接眼レンズへ導く導光機能を兼ね備えていることが好ましい。
【００２３】
本発明に係る表示装置において、前記プリズム状部材は、着色プリズム、反射プリズム、偏角プリズムのいずれかであることが好ましい。
【００２４】
本発明に係る光学機器（例えば、本実施形態におけるデジタル一眼レフカメラＣＡＭ）は、観察光学系と、上記いずれかの表示装置とを備えて構成されている。
【発明の効果】
【００２５】
本発明によれば、観察する被写体が暗い場合、表示輝度を十分に低下させることにより、視認性の高い表示が可能な表示装置及びこれを備える光学機器を提供することができる。
【図面の簡単な説明】
【００２６】
【図１】本実施形態に係る表示装置を搭載したデジタル一眼レフカメラの概略構成図である。
【図２】本実施形態に係る表示装置を説明する図である。
【図３】アイポイントにおいて撮影者により観察可能な視野（ファインダー視野および外周部における情報表示）の一例を示す図である。
【図４】本実施形態に係る表示装置の変形例を示す図である。
【図５】本実施形態に係る表示装置の変形例を示す図である。
【図６】本実施形態に係る表示装置の変形例を示す図である。
【図７】本実施形態に係る表示装置の変形例を示す図である。
【図８】本実施形態に係る表示装置の変形例を示す図である。
【発明を実施するための形態】
【００２７】
以下、本実施形態について、図面を用いて説明する。図１は、本実施形態に係る表示装置をデジタル一眼レフカメラＣＡＭに適用した例を示す。なお、以下の説明においては、一眼レフカメラに適用された場合を説明するが、本発明はコンパクトカメラ等のその他の光学機器にも適用することが可能である。
【００２８】
図１に示すように、デジタル一眼レフカメラＣＡＭは、撮影レンズ１１と、クイックリターンミラー１２と、撮像素子１３と、観察光学系２０とを有する。観察光学系２０は、いわゆるビューファインダーであり、物体側から光軸に沿って順に並んだ、焦点板２１と、ファインダー視野の大きさを決定する視野枠２２と、正立化プリズム２３と、接眼レンズ２４とを有する。
【００２９】
上記構成のデジタル一眼レフカメラＣＡＭにおいては、不図示の物体（被写体）からの光が、撮影レンズ１１により集光されて、クイックリターンミラー１２を介して焦点板２１上に結像される。焦点板２１上（観察面）に結像された光は、視野枠２２を通り、正立化プリズム２３中で複数回反射され、接眼レンズ２４へ導かれる。これにより、撮影者は、接眼レンズ２４を介して、アイポイントＥＰにて、物体（被写体）像を正立像として観察することができる。
【００３０】
また、撮影者によって不図示のレリーズボタンが押されると、クイックリターンミラー１２が光路外へ退避し、撮影レンズ１ｌで集光された物体（被写体）からの光は、撮像素子１３上に結像されて物体（被写体）像を形成する。これにより、物体（被写体）からの光は、撮像素子１３により撮像され、物体（被写体）の画像として不図示のメモリに記録される。
【００３１】
焦点板２１の近傍には、視野枠２２により決定されるファインダー視野の外側に所定の情報を表示するための表示装置３０が配設されている。
【００３２】
図２に示すように、表示装置３０は、撮影に関するさまざまな情報（例えば、露出制御値、露出モード、露出補正値等）を発光表示するための表示部材３１と、表示部材３１の発光側に配設された減光部材３２と、表示プリズム３３と、焦点板２１の焦点面（観察面）の明るさを検出する照度センサ３４と、照度センサ３４により検出された焦点板２１の明るさに応じて表示部材３１の発光量を制御する発光制御部３５とを備える。そして、焦点板２１上の明るさが所定の閾値未満であった場合、発光制御部３５により表示部材３１の発光量を減らし、減光部材３２の減光作用と合わせて、表示部材３１の表示輝度を下げ、焦点板２１上の明るさが所定の閾値以上であった場合、発光制御部３５により表示部材３１の発光量を増やし、表示部材３１の表示輝度を上げるように構成されている。
【００３３】
このような表示装置３０では、表示部材３１からの発光表示光は、上述のように発光制御部３５により発光量が制御されるとともに減光部材３２により減光されて、表示プリズム３３により正立化プリズム２３を通して接眼レンズ２４へ導かれる。撮影者は、接眼レンズ２４を介して、アイポイントＥＰにて、図３に示すように、上述の物体（被写体）像を写すファインダー視野３６と、その外周部に表示される表示部材３１による情報表示３７とを同時に観察することができる。
【００３４】
表示部材３１としては、有機ＥＬ（エレクトロルミネッセンス）素子などの自発光型の表示素子を用いることが好ましい。これにより、表示装置３０において高い表示輝度と広い発光角を確保することができる。自発光型の表示素子は、流す電流値を変化させることにより、発光量（輝度）を調整することが可能である。例えば、明るい被写体を観察する場合、流す電流値を多くして、表示素子の発光量を上げることにより、コントラストが高く、視認性に優れた表示が可能となる。
【００３５】
但し、自発光型の表示素子は、その特性から電流値を限界まで減少させても、ある一定の明るさから暗くすることができない。このため、暗い被写体を観察する場合、流す電流値を絞っても、表示素子は必要以上の明るさで発光することになり、素子周辺の部材を照明して反射光を生じさせ、この反射光がフレアとなって、表示のコントラストを低下させたり、被写体像の周辺にゴーストを発生させたりすることが問題となっていた。
【００３６】
そこで、本実施形態では、表示部材３１の発光側に減光部材３２を独立して配設することにより、暗い被写体を観察する場合、流す電流値を十分に下げて表示部材３１自体の発光量を減らし、減光部材３２による減光作用とも相まって、従来よりも表示装置３０による表示輝度を十分に下げることが可能となり、上述の問題を解決することができた。
【００３７】
なお、減光部材３２としては、ＮＤフィルタなどを用いることが好ましい。この構成により、表示装置３０を大型化することなく、減光部材３２を導入することができる。
【００３８】
ところで、図１に示すアイポイントＥＰにおいて、撮影者は図３に示すような視野を観察することができる。図３において、ファインダー視野３６の外周部の暗視野部分は視野枠２２により形成されたものであり、情報表示３７は表示部材３１により形成されたものである。表示装置３０を構成するにあたり視野枠２２上に表示部材３１を設置すれば、このような図３に示す視野（ファインダー視野３６および情報表示３７）を容易に実現することができる。しかしながら、この構成は、視野枠２２の面積が大きくなるという欠点があり、カメラＣＡＭの大型化に繋がるため、好ましくない。
【００３９】
そこで、本実施形態では、図２に示すように、表示部材３１の発光表示面を視野枠２２面に対して垂直に設置することにより、視野枠２２の面積を小さくし、カメラＣＡＭの大型化を防いでいる。但し、表示部材３１の発光表示面を視野枠２２面に対して垂直に設置したため、表示プリズム３３を利用して、表示部材３１からの発光表示光を反射して視野枠２２面に対して平行光束にし、正立化プリズム２３と接眼レンズ２４とを有する観察光学系２０へ導くことにより、図３に示す視野を実現している。
【００４０】
以上のような構成の表示装置３０によれば、ファインダー視野が高輝度の場合は、その程度に応じて表示部材３１による表示輝度を上げ、ファインダー視野が低輝度の場合は、減光部材３２の作用により、表示部材３１の表示輝度を従来よりも十分に下げることができる。つまり、本実施形態に係る表示装置３０は、ファインダー視野の輝度にかかわらず、コントラストが高く、視認性に優れたファインダー視野外表示の実現が可能である。
【００４１】
本実施形態に係る表示装置は、以下のように構成しても、同様の効果を得ることができる。
【００４２】
例えば、減光部材３２は、図２に示すように表示部材３１と表示プリズム３３との間の光路中に独立して配置するのではなく、図４に示すように、表示プリズム３３と正立化プリズム２３との間の光路中に独立して配置してもよい。この構成により、表示装置３０を大型化することなく、減光部材３２を導入することができる。
【００４３】
減光部材３２は、図５に示すように、表示部材３１の発光側の表面に密着させて配設することも可能である。この構成により、表示装置３０を大型化することなく、減光部材３２を導入することができる。
【００４４】
また、減光部材３２は、表示プリズム３３における、図６に示す表示部材３１側の表面（すなわち、表示部材３１からの発光表示光の入射面）、および、図７に示す接眼レンズ２４側の表面（すなわち、表示部材３１から入射した光が射出する面）のどちらかに密着して配設してもよい。この構成により、表示装置３０を大型化することなく、減光部材３２を導入することができる。
【００４５】
本実施形態において、減光部材３２として、表示部材３１からの発光表示光のうち、（例えば、単波長のみ、長波長のみ、または、単波長および長波長の両方といった）所定の波長域の光だけを透過または遮光することにより、減光機能を発揮する波長選択フィルタを用いてもよい。この構成により、発光表示の特定の表示光のみ、本発明の効果を与えることができる。
【００４６】
本実施形態において、減光部材３２として、表示部材３１からの発光表示光のうち、（例えば、単波長のみ、長波長のみ、または、単波長および長波長の両方といった）所定の波長域の光だけを吸収することにより、減光機能を発揮する吸収フィルタを用いてもよい。散乱や反射による減光は、表示装置内に迷光を増やして、表示のコントラストを低下させるため、好ましくないからである。
【００４７】
本実施形態において、減光部材３２は、次の条件式（１）を満足することが好ましい。
【００４８】
Ｔa≦０．５  …（１）
但し、
Ｔa：表示部材３１から発光される可視域の光に対する減光部材３２の透過率。
【００４９】
条件式（１）の上限値を上回ると、表示部材３１の発光輝度を上げる際に、多くの消費電力が必要となるため、好ましくない。
【００５０】
本実施形態の効果を確実なものとするために、条件式（１）の上限値を０．４とすることが好ましい。本実施形態の効果をより確実なものとするために、条件式（１）の上限値を０．３とすることが好ましい。本実施形態の効果をさらに確実なものとするために、条件式（１）の上限値を０．２とすることが好ましい。本実施形態の効果を十分に確実なものとするために、条件式（１）の上限値を０．１とすることが好ましい。
【００５１】
または、本実施形態において、減光部材３２は、次の条件式（２）を満足することが好ましい。
【００５２】
Ｔλ≦０．５  …（２）
但し、
Ｔλ：表示部材３１からの発光表示光のピーク波長をλとしたとき、前記ピーク波長λの光に対する減光部材３２の透過率。
【００５３】
条件式（２）の上限値を上回ると、表示部材３１の発光輝度を上げる際に、多くの消費電力が必要となるため、好ましくない。
【００５４】
本実施形態の効果を確実なものとするために、条件式（２）の上限値を０．４とすることが好ましい。本実施形態の効果をより確実なものとするために、条件式（２）の上限値を０．３とすることが好ましい。本実施形態の効果をさらに確実なものとするために、条件式（２）の上限値を０．２とすることが好ましい。本実施形態の効果を十分に確実なものとするために、条件式（２）の上限値を０．１とすることが好ましい。
【００５５】
本実施形態においては、図８に示すように、表示プリズム３３を着色して、表示部材３１からの発光表示光を接眼レンズ２４へ導く導光機能に加え、表示部材３１からの発光表示光を減光させる減光機能を付加することにより、表示プリズム３３を減光部材３２として使用することが可能である。この構成により、減光部材３２と表示プリズム３３を別々に配置するための空間が不要になり、表示装置３０の小型化を図ることができる。また、表示部材３１の近傍に減光部材３２を配置すると、減光部材３２が接眼レンズ２４のピント面に近づくために、減光部材３２自体の欠損が目立ち易くなるが、着色して表示プリズム３３に減光機能を持たせることによりこの問題を回避することができる。また、表示部材３１からの発光表示光が表示プリズム３３内の透過する際に発生する、表示プリズム３３でのフレアや迷光を軽減する効果も期待できる。
【００５６】
また、本実施形態においては、表示プリズム３３を、上述のように着色するのではなく、反射プリズムや偏角プリズム等で構成して、透過する表示部材３１からの発光表示光を減光させる減光機能を付加することにより、表示プリズム３３を減光部材３２として用いることも可能である。この場合も、表示光を減光させることができるので、本発明の効果が得られる。
【符号の説明】
【００５７】
ＣＡＭ  デジタル一眼レフカメラ（光学機器）
１１  撮影レンズ
１２  クイックリターンミラー
１３  撮像素子
２０  観察光学系
２１  焦点板
２２  視野枠
２３  正立化プリズム
２４  接眼レンズ
３０  表示装置
３１  表示部材
３２  減光部材
３３  表示プリズム
３４  照度センサ
３５  発光制御部
ＥＰ  アイポイント
【図１】
2015040962.tif 000003
【図２】
2015040962.tif 000004
【図３】
2015040962.tif 000005
【図４】
2015040962.tif 000006
【図５】
2015040962.tif 000007
【図６】
2015040962.tif 000008
【図７】
2015040962.tif 000009
【図８】
2015040962.tif 000010